(57)【特許請求の範囲】
【請求項１】
可視光で励起される蛍光物質を表面の一部に有する物体を観察環境下において照明する照明装置であって、  波長４００ｎｍから４４０ｎｍまでに最大ピークを有し且つ白色の分光特性となる第１の光で前記物体を照明する第１の照明手段と、 前記波長４００ｎｍから４４０ｎｍまでに最大ピークを有さず且つ白色の分光特性となる第２の光で前記物体を照明する第２の照明手段と、 前記第１の照明手段が点滅すると共に、少なくとも前記第１の照明手段の消灯期間に前記第２の照明手段が点灯するように、前記第１の照明手段と前記第２の照明手段とを駆動制御する駆動制御手段と、  を有する照明装置。
【請求項２】
前記第１の照明手段及び前記第２の照明手段の各々は、平均演色評価数が８０以上となる請求項１に記載の照明装置。
【請求項３】
前記第１の照明手段及び前記第２の照明手段の明度差が１０以下となる請求項１又は請求項２に記載の照明装置。
【請求項４】
前記駆動制御手段は、点灯時の変動による明度差が１０以下となるように光量を制御する、請求項１から請求項３までのいずれか１項に記載の照明装置。
【請求項５】
前記駆動制御手段は、前記第１の照明手段の消灯期間にのみ前記第２の照明手段が点灯するように、前記第１の照明手段と前記第２の照明手段とを駆動制御する、請求項１から請求項４までのいずれか１項に記載の照明装置。
【請求項６】
前記駆動制御手段は、前記第１の照明手段の消灯期間及び点灯期間の両方で前記第２の照明手段が点灯するように、前記第１の照明手段と前記第２の照明手段とを駆動制御する、請求項１から請求項４までのいずれか１項に記載の照明装置。
【請求項７】
観察環境下に置かれ且つ可視光で励起される蛍光物質を表面の一部に有する物体と、  波長４００ｎｍから４４０ｎｍまでに最大ピークを有し且つ白色の分光特性となる第１の光で前記物体を照明する第１の照明手段と、 前記波長４００ｎｍから４４０ｎｍまでに最大ピークを有さず且つ白色の分光特性となる第２の光で前記物体を照明する第２の照明手段と、 前記第１の照明手段が点滅すると共に、少なくとも前記第１の照明手段の消灯期間に前記第２の照明手段が点灯するように、前記第１の照明手段と前記第２の照明手段とを駆動制御する駆動制御手段と、  を有する表示システム。
【請求項８】
前記第１の照明手段及び前記第２の照明手段の各々は、平均演色評価数が８０以上となる請求項７に記載の表示システム。
【請求項９】
前記第１の照明手段及び前記第２の照明手段の明度差が１０以下となる、請求項７又請求項８に記載の表示システム。
【請求項１０】
前記駆動制御手段は、点灯時の変動による明度差が１０以下となるように光量を制御する、請求項７から請求項９までのいずれか１項に記載の表示システム。
【請求項１１】
前記駆動制御手段は、前記第１の照明手段の消灯期間にのみ前記第２の照明手段が点灯するように、前記第１の照明手段と前記第２の照明手段とを駆動制御する、請求項７から請求項１０までのいずれか１項に記載の表示システム。
【請求項１２】
前記駆動制御手段は、前記第１の照明手段の消灯期間及び点灯期間の両方で前記第２の照明手段が点灯するように、前記第１の照明手段と前記第２の照明手段とを駆動制御する、請求項７から請求項１０までのいずれか１項に記載の表示システム。
【発明の詳細な説明】
【技術分野】
【０００１】
本発明は、照明装置及び表示システムに関する。
【背景技術】
【０００２】
従来から様々な印刷出力の品質管理のために、複数の標準光源装置を備えたブースや色見台（例えば、X-rite社製、製品名「Macbeth Judge」）が提供されている。これらは分光分布が異なる２つ以上の蛍光灯を切り替えて、それぞれの観察条件下での印刷物を可視化できる。例えば、Ｄ５０、Ｄ６５の色温度の色評価蛍光灯や、紫外線ありなしが選択可能とされている。
【０００３】
特許文献１には、第１の分光分布をもつ第１の光源色によって照明する第１照明手段と、第２の分光分布をもつ第２の光源色によって照明する第２照明手段とを備える照明装置であって、前記第１の分光分布と前記第２の分光分布とが異なり、前記第１の光源色と前記第２の光源色との第１の色度差の値が同色許容範囲内となる第１の所定範囲であることを特徴とする照明装置が開示されている。また、前記第１の分光分布と前記第２の分光分布とが異なる波長領域において、前記第１の光源色によって照明した際の照明対象物体の第１の物体色と前記第２の光源色によって照明した際の前記照明対象物体の第２の物体色との第２の色度差の値が異色範囲内となる第２の所定範囲であることも、特許文献１には開示されている。
【０００４】
特許文献２には、色材と照明の組合せによる表現態様及び／又はパターンの変化を少なくとも一部に含んでなる演出システムであって、ｉ）照明によって色の見えの変化が小さい色材を背景に、ｉｉ）照明によって色の見えの変化の大きい色材を組み合わせることにより、文字、模様その他少なくとも２次元からなる表現態様を予め被照明体の表面に形成しておき、照明源の違いに応じて前記色材の組み合わせ体の表現態様及び／又は見た目のパターンを看者に対し変化させ、それにより、照明源の違いに応じて前記色材の組み合わせ体の表現態様及び／又はパターンに変化をもたせることが可能であることを利用してユーザー及び看者に対し有効な演出システムを提供し得ることを可能ならしめることを特徴とする、色材と照明の組合せによる表現態様及び／又はパターンの変化を少なくとも一部に含んでなる演出システムが開示されている。
【先行技術文献】
【特許文献】
【０００５】
【特許文献１】特開２００８−２８２７５５号公報
【特許文献２】特開２００９−２９５４７２号公報
【発明の概要】
【発明が解決しようとする課題】
【０００６】
本発明の目的は、観察環境下に置かれた物体において、蛍光物質を有する部分の見え方を変化させることができる照明装置及び表示システムを提供することにある。
【課題を解決するための手段】
【０００７】  上記目的を達成するために、請求項１の発明は、可視光で励起される蛍光物質を表面の一部に有する物体を観察環境下において照明する照明装置であって、波長４００ｎｍから４４０ｎｍまでに最大ピークを有し且つ白色の分光特性となる第１の光で前記物体を照明する第１の照明手段と、前記波長４００ｎｍから４４０ｎｍまでに最大ピークを有さず且つ白色の分光特性となる第２の光で前記物体を照明する第２の照明手段と、前記第１の照明手段が点滅すると共に、少なくとも前記第１の照明手段の消灯期間に前記第２の照明手段が点灯するように、前記第１の照明手段と前記第２の照明手段とを駆動制御する駆動制御手段と、を有する照明装置である。【０００９】 請求項２の発明は、前記第１の照明手段及び前記第２の照明手段の各々は、平均演色評価数が８０以上となる請求項１に記載の照明装置である。請求項３の発明は、前記第１の照明手段及び前記第２の照明手段の明度差が１０以下となる請求項１又は請求項２に記載の照明装置である。【００１０】 請求項４の発明は、前記駆動制御手段は、点灯時の変動による明度差が１０以下となるように光量を制御する、請求項１から請求項３までのいずれか１項に記載の照明装置である。請求項５の発明は、前記駆動制御手段は、前記第１の照明手段の消灯期間にのみ前記第２の照明手段が点灯するように、前記第１の照明手段と前記第２の照明手段とを駆動制御する、請求項１から請求項４までのいずれか１項に記載の照明装置である。請求項６の発明は、前記駆動制御手段は、前記第１の照明手段の消灯期間及び点灯期間の両方で前記第２の照明手段が点灯するように、前記第１の照明手段と前記第２の照明手段とを駆動制御する、請求項１から請求項４までのいずれか１項に記載の照明装置である。【００１１】 請求項７の発明は、観察環境下に置かれ且つ可視光で励起される蛍光物質を表面の一部に有する物体と、波長４００ｎｍから４４０ｎｍまでに最大ピークを有し且つ白色の分光特性となる第１の光で前記物体を照明する第１の照明手段と、前記波長４００ｎｍから４４０ｎｍまでに最大ピークを有さず且つ白色の分光特性となる第２の光で前記物体を照明する第２の照明手段と、前記第１の照明手段が点滅すると共に、少なくとも前記第１の照明手段の消灯期間に前記第２の照明手段が点灯するように、前記第１の照明手段と前記第２の照明手段とを駆動制御する駆動制御手段と、を有する表示システムである。【００１３】 請求項８の発明は、前記第１の照明手段及び前記第２の照明手段の各々は、平均演色評価数が８０以上となる請求項７に記載の表示システムである。請求項９の発明は、前記第１の照明手段及び前記第２の照明手段の明度差が１０以下となる、請求項７又は請求項８に記載の表示システムである。【００１４】 請求項１０の発明は、前記駆動制御手段は、点灯時の変動による明度差が１０以下となるように光量を制御する、請求項７から請求項９までのいずれか１項に記載の表示システムである。請求項１１の発明は、前記駆動制御手段は、前記第１照明手段の消灯期間にのみ前記第２の照明手段が点灯するように、前記第１の照明手段と前記第２の照明手段とを駆動制御する、請求項７から請求項１０までの��ずれか１項に記載の表示システムである。請求項１２の発明は、前記駆動制御手段は、前記第１照明手段の消灯期間及び点灯期間の両方で前記第２の照明手段が点灯するように、前記第１の照明手段と前記第２の照明手段とを駆動制御する、請求項７から請求項１０までのいずれか１項に記載の表示システムである。
【発明の効果】
【００１５】 請求項１、５、７、１１に記載の発明によれば、観察環境下に置かれた物体において、色点滅により蛍光物質を有する部分の見え方を変化させることができる。 請求項２、請求項８に記載の発明によれば、観察環境下に置かれた物体の色を保ちながら、色点滅により蛍光物質を有する部分の見え方を変化させることができる。 請求項３、請求項９に記載の発明によれば、観察環境下に置かれた物体の明るさを保ちながら、色点滅により蛍光物質を有する部分の見え方を変化させることができる。 請求項４、６、１０、１２に記載の発明によれば、観察環境下に置かれた物の蛍光物質を有しない部分への光量を一定にでき観察者が感じるチラつきをなくすことができる。
【図面の簡単な説明】
【００１６】
【図１】本発明の実施の形態に係る表示システムの構成の一例を示す模式図である。
【図２】図１に示す照明装置の電気的構成を示すブロック図である。
【図３】（Ａ）は第１照明光の分光スペクトルの一例を示すグラフである。（Ｂ）は第２照明光の分光スペクトルの一例を示すグラフである。
【図４】（Ａ）及び（Ｂ）は本発明の実施の形態に係る表示システムの動作を示す模式図である。
【発明を実施するための形態】
【００１７】
＜表示システムの構成＞
（表示システムの概略構成）
まず、本発明の表示システムの構成について説明する。
図１は本発明の実施の形態に係る表示システムの構成の一例を示す模式図である。図２は図１に示す照明装置の電気的構成を示すブロック図である。図１に示すように、表示システム１０は、観察環境下に置かれた物体２０と、物体２０を照明する照明装置３０とで構成されている。ここで「観察環境」とは、蛍光灯等の室内光下、自然光等の外光下など、観察者及び観察対象物が置かれている照明環境を意味する。
【００１８】
物体２０は、可視光で励起される蛍光物質を表面に有する発光部２２と、蛍光物質を表面に有しない非発光部２４とを有する。図示した例では、パッケージの包装が発光部２２に該当し、パッケージに掛けられたリボンが非発光部２４に該当する。本実施の形態では、波長４００−４４０ｎｍにピークを有する第１照明光（可視光）が照射されると、発光部２２の蛍光物質が励起されて、発光部２２が蛍光発光する。
【００１９】
発光部２２表面に蛍光物質を有していればよく、発光部２２の形態は特に限定されない。例えば、蛍光物質を含む材料が、物体２０の表面に塗布されていてもよく、発光部２２を構成する材料に混合されていてもよい。なお、蛍光物質の具体例については後述する。
【００２０】
照明装置３０は、波長４００−４４０ｎｍにピークを有し、その他の波長では白色となる第１照明光で物体２０を照明する第１照明手段３２と、波長４００ｎｍから４４０ｎｍまでにピークを有しない白色の第２照明光で物体２０を照明する第２照明手段３４と、制御部３６とを有している。第１照明手段３２は、第１照明光を射出する第１光源３２Ａと、第１光源３２Ａを点灯駆動する第１駆動部３２Ｂとを備えている。第２照明手段３４は、第２照明光を射出する第２光源３４Ａと、第２光源３４Ａを点灯駆動する第２駆動部３４Ｂとを備えている。
【００２１】
制御部３６は、ＣＰＵ（中央処理装置;  Central Processing Unit）、各種プログラムを記憶したＲＯＭ（Read Only Memory）、プログラムの実行時にワークエリアとして使用されるＲＡＭ（Random Access Memory）等を備え、装置全体の制御及び各種演算を行うコンピュータとして構成されている。照明装置３０の各部は、図示しない収納部に収納されている。
【００２２】
第１駆動部３２Ｂ及び第２駆動部３４Ｂの各々は、制御部３６に接続されている。制御部３６は、制御信号に基づいて第１駆動部３２Ｂにより第１光源３２Ａを駆動させて、第１照明手段３２が点灯又は消灯するように制御する。また、制御部３６は、制御信号に基づいて第２駆動部３４Ｂにより第２光源３４Ａを駆動させて、第２照明手段３４が点灯又は消灯するように制御する。
【００２３】
（第１照明光と第２照明光）
次に、第１照明光及び第２照明光について説明する。図３（Ａ）は第１照明光の分光スペクトルの一例を示すグラフである。図３（Ｂ）は第２照明光の分光スペクトルの一例を示すグラフである。なお、図３（Ａ）及び（Ｂ）に示す分光スペクトルは一例であり、第１照明光及び第２照明光は以下に説明する条件を満たしていればよく、例示したものに限定される訳ではない。また、縦軸は各ピーク位置での相対強度を表しており、実際のエネルギー強度とは異なる。
【００２４】
図３（Ａ）に示すように、第１照明光は、波長４００−４４０ｎｍにピークを有すると共に、波長４４０ｎｍより長波長側にも波長分布を有する、白色光に近い分光特性を有する照明光である。ここで「白色」とは、可視域において、複数のピークがあってもよく、例えば、蛍光励起を利用した照明光の分光分布には励起成分のピークがあったとしても白色として見える。また、白色として見える色温度は、３，０００Ｋ（ケルビン）から１３，０００Ｋ以下（好ましくは１２，０００Ｋ以下）の範囲が該当する。この第１照明光を物体２０に照射した場合には、発光部２２の蛍光物質が励起されて、発光部２２が蛍光発光する。
【００２５】
波長４００−４４０ｎｍの波長領域の光は、白色ＬＥＤ（発光ダイオード：Light Emitting Diode）、蛍光灯のように、観察環境において汎用されている照明光のピークとしては利用されていないため存在しても少量しか含まれていない。例えば、白色ＬＥＤの発光波長は４５０ｎｍであり、自然光は波長３８０ｎｍ以下の紫外線を含む。このため、観察環境下においても物体２０の見え方が変化するように、物体２０が照明される。
【００２６】
また、波長４００−４４０ｎｍの波長領域の光は、視感度や等色関数から分かるように人間の目に対する感度が低いため、演色性に影響を与えず物体２０の色の変化が小さい。また、より視覚に対する色の変化を少なくするには、波長４００−４２０ｎｍの波長領域の光が好ましい。更に、波長４００ｎｍ以上の光は、波長３８０ｎｍ以下の紫外線と比べると、生体安全性が高い。波長４００−４４０ｎｍの波長領域の光を作るＬＥＤとして、ＩｎＧaＮ系のＬＥＤチップを利用してもよい。
【００２７】
一方、図３（Ｂ）に示すように、第２照明光は、波長４００−４４０ｎｍにピークを有していない、白色光に近い分光特性を有する照明光である。この第２照明光を物体２０に照射した場合には、物体２０が明るく照明されるだけで、発光部２２は蛍光発光しない。また、第２照明光は、エネルギー分布がフラットないわゆる「Ｅ光源」である。「Ｅ光源」では、色度ｘｙが共に０．３３となる。図３（Ｂ）と図３（Ａ）とを比較すれば分かるように、第１照明光では、波長４００−４４０ｎｍに存在するピークの影響で、三刺激値Ｘ，Ｚが上昇する。このため、可視領域にもブロードな波長分布を有するようにして、刺激値Ｙに対応する波長の領域でエネルギーを増加させ、白色光に近い分光特性を得ているのである。
【００２８】
＜表示システムの動作＞
次に、本発明の表示システムの動作について説明する。
図４（Ａ）及び（Ｂ）は本発明の実施の形態に係る表示システムの動作を示す模式図である。照明装置３０では、制御部３６により、第１照明手段３２が点滅する共に、第１照明手段３２の消灯期間に第２照明手段３４が点灯するように、第１照明手段３２及び第２照明手段３４が制御される。
【００２９】
図４（Ａ）に示すように、第１照明手段３２が点灯すると、第１照明光が物体２０に照射される。蛍光物質を有する発光部２２は、蛍光発光して元の色とは異なる色で発色する。蛍光物質を有していない非発光部２４は、蛍光発光せず元の色のままである。ここで異なる色とは、色差が３以上（目視で判断される程度）異なることを意味する。また、「色差」とは、ＣＩＥ（国際照明委員会）にて規定された「色差（ΔＥ）」を表す。ＣＩＥでは種々の計算式で色差を規定しており、何れの計算式で求めた色差を用いてもよい。
【００３０】
一方、第１照明手段３２が消灯すると、図１に示すように、発光部２２は発光しなくなる。以下では、発光部２２が、発光状態と非発光状態とを繰り返すことを「色点滅」という。また、発光部２２及び非発光部２４は、第１照明手段３２の消灯により全体として暗い色に見える。従って、第１照明手段３２が点滅すると、物体２０の見え方は、図４（Ａ）に示す状態と図１に示す状態との間で変化することになる。
【００３１】
そこで、図４（Ｂ）に示すように、第１照明手段３２の消灯期間に第２照明手段３４を点灯する。第２照明手段３４の点灯により、第１照明手段３２の消灯による光量の減少を補完して、第１照明手段３２の点灯時に近い明るさにする。第２照明手段３４の点灯により、第１照明光の代わりに第２照明光が物体２０に照射される。蛍光物質を有する発光部２２及び非発光部２４は、元の色のままである。従って、第１照明手段３２の消灯期間に第２照明手段３４が点灯すると、物体２０の見え方は、図４（Ａ）に示す状態と図４（Ｂ）に示す状態との間で変化することになる。
【００３２】
観察環境下に置かれた物体２０において、第１照明手段３２の点滅及び第２照明手段３４の点灯により、蛍光物質を有する発光部２２が色点滅して、発光部２２の見え方が変化する。発光部２２の色点滅は、蛍光発光のオン・オフでもある。一方、第１照明手段３２の点滅及び第２照明手段３４の点灯により、蛍光物質を有していない非発光部２４の見え方は変化しない。即ち、非発光部２４の見え方を変化させずに、蛍光物質を有する発光部２２の見え方だけを変化させている。
【００３３】
蛍光物質を有する発光部２２の蛍光発光を伴う色点滅により、動的なアイキャッチ効果（注目を集める効果）が獲得される。例えば、用途として、注意を引く（例えば、「ここは危険」との表示や注意看板）や文字主体のものなどを対象とした場合、明度や色再現を管理する仕組みを必要としない第１照明手段のみであった方が、提供コストを下げることができる。一方で、物体２０の明るさが一定になるように照明されて、非発光部２４の色再現性も良好である仕組みでの本実施の形態の照明装置及び表示システムは、顧客の注目を集め、注意を引くための広告・宣伝手法、注意標識にも適用される。
【００３４】
上記の通り、第２照明光は、第１照明手段３２の消灯による光量の減少を補完して、第１照明手段３２の点灯時に近い明るさにする。従って、第１照明光と第２照明光とは、両者の分光特性の差が色順応により許容される範囲となるように設定されている。即ち、第１照明光及び第２照明光は、可視領域において近い分光特性を有しているとよい。
【００３５】
例えば、第１照明光及び第２照明光の各々は、ＣＩＥにより規定された平均演色評価数が共に８０以上であるとよい。平均演色評価数の数値が高いほど、基準光下と比較してその照明光下での色再現性がよいことを表す。平均演色評価数８０は、汎用の白色ＬＥＤより高いレベルである。平均演色評価数が８０以上で両者の色再現性は略同じであり、平均演色評価数が９０以上になると見分けが付かなくなる。
【００３６】
また、照明光の測定、または基準白色（白色校正板や用紙白色部など）からの反射光の測定による、第１照明光及び第２照明光の明度差は１０以下であるとよい。ここで「明度差」とは、色差（明度、彩度、色相の各知覚量の差）の内、明度成分のことであり、測定や計算されるパラメータである。色順応を考慮すると、明度差が１０以下で両照明光下において物体２０の明るさが略一定となり、明度差が５以下で見分けが付かなくなる。
【００３７】
第１照明手段３２の点滅は、点灯パルス間隔（即ち、消灯時間）が、人の目が点滅を知覚できる約５０ｍｓ（ミリ秒）〜１００ｍｓ以上の時間であればよい。例えば、点灯パルス間隔を、２００ｍｓに設定してもよい。また、点灯時間と消灯時間は同じでもよく、異なっていてもよい。
【００３８】
例えば、点灯パルス幅（即ち、点灯時間）は２０ｍｓ〜１００ｍｓでの繰り返しとしてもよい。また、点灯パルス幅は、予め定めた範囲でランダムに設定してもよい。また、注目を受けた後、蛍光物質での表現部への印象を強めるために点灯パルス幅を長くしてもよい。これにより、蛍光物質で表現したい文字や記号に対して理解を助けることができる。また、パルス点灯に限らず、予め定めた期間は連続点灯し、予め定めた期間は点灯しない、という組み合わせでもよい。
【００３９】
なお、上記では、第２照明手段３４の点灯により、第１照明光の代わりに第２照明光が物体２０に照射される例について説明したが、第２照明手段３４の点灯方法はこれに限定される訳ではない。第２照明手段３４の点灯方法としては、以下の（１）〜（３）に示す３種類の点灯方法が挙げられる。ここでの「点灯」とは、光を照射している状態のことであり、一定の光量になる状態ではない。
【００４０】
（１）第１照明手段３２の消灯期間のみに第２の照明手段３４が点灯する。第２の照明手段３４は、第１照明手段３２に比べて明度差が１０以下となるように物体を照明する。
【００４１】
（２）第１照明手段３２の消灯期間とその前後の点灯期間の一部を合わせた期間を連続して、第２の照明手段３４が点灯する。第１照明手段３２と第２の照明手段３４が同時に点灯する期間では、第１照明手段３２と第２の照明手段３４の各々が単独で点灯する期間に比べて明度差が１０以下となるように物体を照明すれば、第１照明手段３２と第２の照明手段３４の光量比及びその時間的変化に制限はない。
【００４２】
（３）第１照明手段３２の消灯期間とその前後の点灯期間の全部で、第２の照明手段３４が点灯する。第１照明手段３２と第２の照明手段３４が同時に点灯する期間では、第２の照明手段３４が単独で点灯する期間に比べて明度差が１０以下となるように物体を照明すれば、第１照明手段３２と第２の照明手段３４の光量比及びその時間的変化に制限はない。ここでは明度差で光量の規定を説明したが、電力や放射輝度など複数の方法を利用してもよく、点灯時の変動をある範囲内（ここでは明度差１０以下）で一定にすることが望ましい。
【００４３】
＜蛍光物質＞
次に、物体に使用される蛍光物質について説明する。
本実施の形態の蛍光物質は、波長４００−４４０ｎｍにピークを有する第１照明光（可視光）で励起されて、可視光に蛍光発光する物質である。このような蛍光物質としては、例えば、マジックルミノペイント（シンロイヒ社製）等の塗料を用いてもよい。
【００４４】
＜変形例＞
なお、上記では、包装されリボンを掛けられたパッケージを「物体」とする例について説明したが、蛍光物質を表面の一部に有する物体であればよく、物体の形態はこれに限定される訳ではない。例えば、蛍光物質をスプレーや筆などでの塗布、ガラス片やビーズなどのような固形と撹拌させての付着、蛍光物質が表面の一部に付加された印刷物としてもよい。また、物体は照明対象と認識されるものであればよく、例示したように「一体」に形成されていなくてもよい。
【００４５】
また、上記では、照明装置が固定型スタンドである例について説明したが、照明装置の形態はこれに限定される訳ではない。例えば、スポットライト等の照明ムラ（照明によるグラデーションや色差５以上の変動）が起こるような形態で、観察環境となる室内に取り付けられていてもよい。この場合、制御部等は、照明装置の外に設けてもよい。
【００４６】
また、上記では、照明装置が２つの照明手段（第１照明手段及び第２照明手段）を備える例について説明したが、照明手段は２つに限定される訳ではない。各照明手段の機能を果たす照明手段を含んでいればよく、３つ以上の照明手段を有していてもよい。
【００４７】
また、上記では、第１照明手段及び第２照明手段を交互に点灯する例について説明したが、第１照明手段を点滅させるだけでも、蛍光物質を有する発光部２２が色点滅して、発光部２２の見え方が変化する。但し、第１照明手段３２の消灯により全体として暗い色になり、非発光部２４の見え方も変化してしまう。
【００４８】
また、上記各実施形態で説明した照明装置及び表示システムの構成は一例であり、本発明の主旨を逸脱しない範囲内においてその構成を変更してもよいことは言うまでもない。
【符号の説明】
【００４９】
１０   表示システム
２０   物体
２２   発光部
２４   非発光部
３０   照明装置
３２   第１照明手段
３２Ａ 第１光源
３２Ｂ 第１駆動部
３４   第２照明手段
３４Ａ 第２光源
３４Ｂ 第２駆動部
３６   制御部
【図２】
0005966480.tif 000002
【図３】
0005966480.tif 000003
【図１】
0005966480.tif 000004
【図４】
0005966480.tif 000005